(57)【特許請求の範囲】
【請求項１】
複数で用いられるものであり、各々が離隔されて設けられ、光源を制御する点灯装置であって、
人が所持するＩＣタグから送信されるタグ情報を検知する検知手段と、
隣接する点灯装置に前記タグ情報を送信する送信手段と、
前記隣接する点灯装置からのタグ情報を受信する受信手段と、
前記光源の点灯状態を切り替える制御手段と、
前記検知手段で検知されたタグ情報、及び前記受信手段で受信されたタグ情報の少なくとも一方を用いて、前記ＩＣタグの所持者が犯罪弱者又はこの犯罪弱者の関係者であるか否かの識別を行う識別手段とを備え、
前記制御手段は、前記識別により二人の前記ＩＣタグの所持者の一方が犯罪弱者であり、他方が前記犯罪弱者の関係者である場合、前記ＩＣタグの所持者が犯罪弱者のみである場合より前記光源の輝度を小さくするように前記光源の点灯状態を切り替える
ことを特徴とする点灯装置。
【請求項２】
前記検知手段で検知されたタグ情報、及び前記受信手段で受信されたタグ情報の少なくとも一方を記憶する記憶手段を備えることを特徴とする請求項１記載の点灯装置。
【請求項３】
請求項１又は２記載の点灯装置と、
前記点灯装置により点灯状態が切り替えられる光源と
を備えることを特徴とする照明装置。
【請求項４】
請求項３記載の照明装置を複数備えるとともに、
人が所持し、前記照明装置にタグ情報を送信するＩＣタグを備える
ことを特徴とする照明システム。
【請求項５】
前記ＩＣタグが、前記タグ情報の送信のオンオフを切り替える切替手段を備えることを特徴とする請求項４記載の照明システム。
【発明の詳細な説明】
【技術分野】
【０００１】
本発明は、人を検知した場合に光源の点灯状態を切り替えるために用いられる点灯装置、これを含む照明装置及び照明システムに関するものである。
【背景技術】
【０００２】
従来、この種の照明システムは、例えば防犯用として屋外などで用いられるものであり、特許文献１に開示されているように、複数の照明灯（照明装置）を、各々が離隔するように備えている。特許文献１の照明システムにおいて、一の照明灯は、人感センサが歩行者を検知すると、ランプ（光源）を照度３０％から照度７０％に切り替えるとともに、隣接する照明装置に調光開始信号を送信する。上記一の照明灯に隣接する照明灯は、一の照明灯から調光開始信号を受信すると、ランプを照度３０％から７０％に切り替える。すなわち、複数の照明灯のランプが照度７０％で点灯する。
【０００３】
上記より、従来の照明システムは、各照明装置の人感センサの検知範囲が狭くても、広範囲の明るさを制御することができる。特に、防犯用として用いられる場合、例えば子供、女性又は老人などの犯罪弱者が照明装置に近づいたときに、広範囲を明るくすることができるので、すべての光源を常に輝度が大きい状態で点灯させるよりも効率よく防犯性及び安心感を向上させることができる。
【特許文献１】特開２００４−２４１２１７号公報（第６頁−第１１頁及び第５図）
【発明の開示】
【発明が解決しようとする課題】
【０００４】
しかしながら、上記従来の照明システムは、検知された人がどのような人であるかを識別することができないので、広範囲の明るさの制御を必要としていない人を検知した場合も、広範囲の明るさを制御してしまい、点灯効率が低くなるという問題があった。特に、防犯用として用いられる場合、広範囲の明るさの制御は、犯罪弱者にとって必要であるが、犯罪弱者以外の者にとって必ずしも必要ではない。
【０００５】
本発明は上記の点に鑑みて為されたものであり、その目的とするところは、特定の人を検知した場合のみ、広範囲の明るさを制御することができ、点灯効率を高めることができる点灯装置、これを含む照明装置及び照明システムを提供することにある。
【課題を解決するための手段】
【０００６】
請求項１に記載の発明は、複数で用いられるものであり、各々が離隔されて設けられ、光源を制御する点灯装置であって、人が所持するＩＣタグから送信されるタグ情報を検知する検知手段と、隣接する点灯装置に前記タグ情報を送信する送信手段と、前記隣接する点灯装置からのタグ情報を受信する受信手段と、前記光源の点灯状態を切り替える制御手段と、前記検知手段で検知されたタグ情報、及び前記受信手段で受信されたタグ情報の少なくとも一方を用いて、前記ＩＣタグの所持者が犯罪弱者又はこの犯罪弱者の関係者であるか否かの識別を行う識別手段とを備え、前記制御手段は、前記識別により二人の前記ＩＣタグの所持者の一方が犯罪弱者であり、他方が前記犯罪弱者の関係者である場合、前記ＩＣタグの所持者が犯罪弱者のみである場合より前記光源の輝度を小さくするように前記光源の点灯状態を切り替えることを特徴とする。
【０００７】
この構成では、ＩＣタグから送信されるタグ情報を用いて、複数の光源の点灯状態を切り替えることができるので、特定の人を検知した場合のみ、広範囲の明るさを制御することができ、点灯効率を高めることができる。この構成では、二人のＩＣタグの所持者が犯罪弱者及びこの犯罪弱者の関係者である場合、犯罪弱者にとって安全な状況であり、広範囲の明るさを下げても問題がないので、省エネルギー化を図りながら防犯機能を向上させることができる。
【０００８】
請求項２に記載の発明は、請求項１に記載の発明において、前記検知手段で検知されたタグ情報、及び前記受信手段で受信されたタグ情報の少なくとも一方を記憶する記憶手段を備えることを特徴とする。この構成では、検知された犯罪弱者を特定することができるとともに、光源の点灯状態が切り替えられた頻度を犯罪弱者毎に把握することができる。
【０００９】
請求項３に記載の発明は、請求項１又は２に記載の点灯装置と、前記点灯装置により点灯状態が切り替えられる光源とを備えることを特徴とする。この構成では、ＩＣタグから送信されるタグ情報を用いて、複数の光源の点灯状態を切り替えることができるので、特定の人を検知した場合のみ、広範囲の明るさを制御することができ、点灯効率を高めることができる。
【００１０】
請求項４に記載の発明は、請求項３に記載の照明装置を複数備えるとともに、人が所持し、前記照明装置にタグ情報を送信するＩＣタグを備えることを特徴とする。この構成では、ＩＣタグから送信されるタグ情報を用いて、複数の光源の点灯状態を切り替えることができるので、特定の人を検知した場合のみ、広範囲の明るさを制御することができ、点灯効率を高めることができる。
【００１１】
請求項５に記載の発明は、請求項４に記載の発明において、前記タグ情報の送信のオンオフを切り替える切替手段を備えることを特徴とする。この構成では、光源の点灯状態の切替を必要としない場合に、ＩＣタグからのタグ情報の送信を停止することができるので、光源の点灯状態をそのまま維持することができる。
【発明の効果】
【００１２】
本発明によれば、特定の人を検知した場合のみ、広範囲の明るさを制御することができ、点灯効率を高めることができる。
【発明を実施するための最良の形態】
【００１３】
基本形態について図１，２を用いて説明する。図１は、基本形態の照明システムの構成を示す概略図である。図２は、基本形態の照明装置の構成を示すブロック図である。
【００１４】
先ず、基本形態の基本的な構成について説明する。基本形態の照明システム１は、防犯用として屋外で用いられているものであり、図１に示すように、複数の照明装置２，２ａ〜２ｄと、ＩＣ（Ｉｎｔｅｇｒａｔｅｄ  Ｃｉｒｃｕｉｔ）タグ３とを備えている。
【００１５】
ＩＣタグ３は、複数のＩＣタグ所持者４の各々が所持するものであり、例えば各々に振り分けられているタグ番号などのタグ情報をメモリ（図示せず）に記憶している。基本形態では、犯罪弱者が上記ＩＣタグ３を所持している。上記犯罪弱者とは、例えば子供、女性又は老人など、犯罪の被害に遭いやすい人をいう。上記ＩＣタグ３は、ＲＦＩＤ（Ｒａｄｉｏ  Ｆｒｅｑｕｅｎｃｙ  ＩＤｅｎｔｉｆｉｃａｔｉｏｎ）技術を用いて、照明装置２，２ａ〜２ｄからの電波を電源とし、タグ情報を含むタグ信号Ａを電波として照明装置２，２ａ〜２ｄに送信する送信機能を有している。なお、ＩＣタグ３は、上記のように照明装置２，２ａ〜２ｄからの電波を電源とするものに限定されず、自ら電源を備えるものであってもよい。
【００１６】
複数の照明装置２，２ａ〜２ｄは、街路５（図１参照）に沿って、各々が１０ｍ以上離れてポール５０に設けられている。各照明装置２，２ａ〜２ｄは、灯具６と、点灯装置７とを備えている。
【００１７】
灯具６は、光源６０と、灯具本体６１とを備えている。光源６０は、例えば蛍光灯などであり、輝度が小さい調光状態（例えば照度３０％）、及び調光状態より輝度が大きい完全点灯状態（例えば照度１００％）の２段階の点灯状態を有し、点灯装置７による制御で上記点灯状態が切り替わるものである。上記光源６０において、調光状態及び完全点灯状態の輝度の各々は、限定されるものではないが、完全点灯状態の輝度が調光状態の輝度の２倍以上であることが好ましい。これにより、明るさの変化を明確に判別することができる。さらに好ましいのは、完全点灯状態の輝度が調光状態の輝度の２〜５倍である。これにより、明るさの変化を明確にすることができるとともに、ＩＣタグ所持者４がわずらわしいと感じることを少なくすることができる。なお、光源６０は、２段階の点灯状態を有するものに限定されず、２段階以上の点灯状態を有するものであってもよい。
【００１８】
灯具本体６１は、取り付け具やバンド（図示せず）でポール５０に括り付けられて固定されているものである。上記灯具本体６１は、光源６０からの光を街路５（図１の下方）に向かって照射するように光源６０をソケット（図示せず）に固定している。
【００１９】
一方、点灯装置７は、図２に示すように、器体７０（図１参照）と、電源部７１と、検知部７２と、通信部７３と、点灯制御部７４とを備えている。
【００２０】
器体７０（図１参照）は、取り付け具やバンド（図示せず）でポール５０（図１参照）に括り付けられて固定されているものである。上記器体７０には、電源部７１、検知部７２、通信部７３及び点灯制御部７４が収納されている。
【００２１】
電源部７１は、例えば商用電源などの電源と接続し、灯具６及び点灯装置７の各部に動作用電力を供給するものである。
【００２２】
検知部７２は、予め決められた検知範囲において、ＲＦＩＤ技術を用いて、ＩＣタグ所持者４のＩＣタグ３（図１参照）に電源用の電波を送信し、上記ＩＣタグ３から送信されるタグ信号Ａ（図１参照）を検知する検知手段である。上記検知部７２は、上記タグ信号Ａに含まれるタグ情報を通信部７３に出力する。
【００２３】
通信部７３は、送信部７３０と、受信部７３１とを備え、検知部７２からタグ情報を入力する。送信部７３０は、検知部７２からタグ情報を入力すると、上記タグ情報を含む無線信号Ｂ（図１参照）を、隣接する照明装置２ａ，２ｂ（図１参照）に送信する送信手段である。一方、受信部７３１は、隣接する照明装置２ａ，２ｂから、上記隣接する照明装置２ａ，２ｂで検知されたタグ情報を含む無線信号Ｃ（図１参照）を受信する受信手段である。上記通信部７３は、検知部７２からのタグ情報、及び無線信号Ｃに含まれるタグ情報を点灯制御部７４に出力する。
【００２４】
点灯制御部７４は、通信部７３から入力されたタグ情報を用いて、灯具６の光源６０（図１参照）の点灯状態を２段階で切り替える制御手段である。具体的には、点灯制御部７４は、周囲が暗くなると、光源６０の点灯状態を、輝度が小さい調光状態に切り替える。上記のような状態において、タグ情報を入力すると、上記光源６０の点灯状態を、調光状態より輝度が大きい完全点灯状態に切り替える。
【００２５】
次に、基本形態の照明システム１の動作について図１を用いて説明する。なお、犯罪弱者のみがＩＣタグ３を所持している。各照明装置２，２ａ〜２ｄの光源６０は、周囲が暗くなると、点灯制御部７４（図２参照）の制御により、調光状態で点灯する。上記のような状態において、ＩＣタグ所持者４が照明装置２に近づき、照明装置２の検知部７２（図２参照）の検知範囲に入ると、照明装置２の光源６０は、点灯制御部７４による制御で調光状態から完全点灯状態に点灯状態が切り替わり、輝度を大きくして周囲を明るく点灯する。また、照明装置２の送信部７３０（図２参照）は、無線信号Ｂを照明装置２ａ，２ｂに送信する。照明装置２から無線信号Ｂを受信した照明装置２ａ，２ｂの光源６０，６０も、照明装置２の光源６０と同様に調光状態から完全点灯状態に点灯状態が切り替わり、輝度を大きくして周囲を明るく点灯する。一方、照明装置２ｃ，２ｄの光源６０，６０は、調光状態で点灯したままである。図１の範囲Ｄは、上記のようにしてＩＣタグ所持者４が照明装置２に近づいたときに、照明装置２，２ａ，２ｂの光源６０，６０，６０が完全点灯状態で点灯することにより明るくなっている範囲である。
【００２６】
続いて、上記ＩＣタグ所持者４が街路５を図１の右方向に進んでいくと、照明装置２ａに近づき、照明装置２ａの検知部７２（図２参照）の検知範囲に入る。このとき、照明装置２ａの光源６０は、点灯制御部７４（図２参照）による制御で引き続き完全点灯状態で周囲を明るく点灯する。また、照明装置２ａの送信部７３０（図２参照）は、無線信号を照明装置２，２ｃに送信する。照明装置２ａから無線信号を受信した照明装置２の光源６０は、引き続き完全点灯状態で周囲を明るく点灯する。照明装置２ａから無線信号を受信した照明装置２ｃの光源６０は、調光状態から完全点灯状態に切り替わり、照明装置２，２ａの光源６０と同様に輝度を大きくして周囲を明るく点灯する。一方、照明装置２ｂの光源６０は、完全点灯状態から調光状態に切り替わって点灯する。
【００２７】
これに対して、ＩＣタグ非所持者が照明装置２，２ａ〜２ｄに近づいたとしても、照明装置２，２ａ〜２ｄの光源６０は、調光状態で点灯したままである。
【００２８】
以上、基本形態によれば、図１に示すように、ＩＣタグ３から送信されるタグ情報を用いて、複数の照明装置２，２ａ〜２ｄの光源６０・・・の点灯状態を調光状態から完全点灯状態に切り替え、輝度を大きくして周囲を明るく点灯させることができるので、ＩＣタグ所持者４、つまり犯罪弱者を検知した場合のみ、広範囲の明るさを制御することができ、点灯効率を高めることができる。
【００２９】
なお、基本形態の変形例として、ＩＣタグのタグ情報を検知した照明装置から予め決められた範囲内（例えば半径１０ｍ以内、半径２０ｍ以内など）に設置される照明装置に対して、光源の点灯状態を切り替えるようにしてもよい。このようにしても、基本形態と同様の効果を得ることができる。
【００３０】
他の例について図３を用いて説明する。図３は、上記他の例の照明システムの構成を示す概略図である。
【００３１】
照明システム１ａは、図３に示すように、複数の照明装置２，２ａ〜２ｄと、ＩＣタグ３とを、基本形態の照明システム１（図１参照）と同様に備えているが、基本形態の照明システム１にはない以下に記載の特徴部分がある。
【００３２】
照明システム１ａは、例えば公園、学校又は駐車場など、街路５の近くにある公共空間５１に、複数（図３では２つ）の照明装置５２，５２を備えている。
【００３３】
各照明装置５２は、光源５２０を備えている。光源５２０は、例えば蛍光灯などであり、輝度が小さい調光状態（例えば照度３０％）、及び調光状態より輝度が大きい完全点灯状態（例えば照度１００％）の２段階の点灯状態を有している。上記光源５２０は、無線信号Ｂを受信すると、調光状態から完全点灯状態に切り替わり、輝度を大きくして図３の範囲Ｅを明るく点灯する。
【００３４】
一方、図３の照明装置２において、送信部７３０（図２参照）は、検知部７２（図２参照）からタグ情報を入力すると、上記タグ情報を含む無線信号Ｂを照明装置２ａ，２ｂに送信するだけでなく、照明装置５２，５２にも送信する。なお、上記送信部７３０は、上記以外の点において、基本形態の送信部と同様である。
【００３５】
以上、照明システム１ａによれば、基本形態と同様の効果を得ることができるとともに、ＩＣタグ所持者４、つまり犯罪弱者を検知した場合のみ、公共空間５１も明るくすることができる。
【００３６】
さらに他の例について図４を用いて説明する。図４は、上記他の例の照明システムの構成を示す概略図である。
【００３７】
照明システム１ｂは、図４に示すように、複数の照明装置２，２ａ〜２ｄと、ＩＣタグ３とを、基本形態の照明システム１（図１参照）と同様に備え、さらに、街路５と交差する街路５ａに照明装置２ｅ，２ｅを備えているが、基本形態の照明システム１にはない以下に記載の特徴部分がある。なお、図４では、ＩＣタグ所持者４は、街路５を歩行している。
【００３８】
図４の照明装置２において、送信部７３０（図２参照）は、検知部７２（図２参照）からタグ情報を入力すると、上記タグ情報を含む無線信号Ｂを、ＩＣタグ所持者４が歩行している街路５の照明装置２ａ，２ｂに送信するだけでなく、街路５と交差する街路５ａの照明装置２ｅ，２ｅにも送信する。なお、上記送信部７３０は、上記以外の点において、基本形態の送信部と同様である。
【００３９】
一方、照明装置２ｅ，２ｅの光源６０，６０は、無線信号Ｂを受信すると、調光状態から完全点灯状態に切り替わり、輝度を大きくして、照明装置２ａ，２ｂの光源６０，６０とともに、図４の範囲Ｆを明るく点灯する。
【００４０】
以上、照明システム１ｂによれば、基本形態と同様の効果を得ることができるとともに、ＩＣタグ所持者４を街路５上で検知した場合に、２つの街路５，５ａの交差点付近を明るくすることができる。
【００４１】
さらに他の照明システムについて図５を用いて説明する。図５は、上記他の照明システムの照明装置の構成を示すブロック図である。
【００４２】
上記他の照明システムは、ＩＣタグ３（図１参照）を備えているとともに、基本形態の複数の照明装置２，２ａ〜２ｄ（図１参照）に代えて、複数の照明装置２ｆ（図５参照）を備えている。
【００４３】
上記他の照明システムのＩＣタグ３（図１参照）は、犯罪弱者用には、犯罪弱者である旨のタグ情報を記憶し、非犯罪弱者用には、犯罪弱者でない旨のタグ情報を記憶している。上記他の照明システムでは、犯罪弱者が犯罪弱者用のＩＣタグ３を所持し、犯罪弱者以外の者が非犯罪弱者用のＩＣタグ３を所持している。なお、上記他の照明システムのＩＣタグ３は、上記以外の点において、基本形態のＩＣタグと同様である。
【００４４】
一方、上記他の照明システムの照明装置２ｆにおいて、点灯装置７ａは、図５に示すように、電源部７１と、検知部７２と、通信部７３と、点灯制御部７４と、器体７０（図１参照）とを、基本形態の点灯装置７（図２参照）と同様に備えているが、基本形態の点灯装置７にはない以下に記載の特徴部分がある。
【００４５】
点灯装置７ａは、通信部７３と点灯制御部７４との間に判別部７５を備えている。判別部７５は、検知部７２で検知されたタグ情報、及び受信部７３１で受信された無線信号Ｃ（図１参照）のタグ情報を通信部７３から入力し、上記タグ情報を用いて、ＩＣタグ所持者４（図１参照）が犯罪弱者であるか否かの識別を行う識別手段である。
【００４６】
また、図５の点灯制御部７４は、上記識別によりＩＣタグ所持者４（図１参照）が犯罪弱者である場合、ＩＣタグ所持者４が犯罪弱者でない場合より光源６０（図１参照）の輝度を大きくするように光源６０の点灯状態を切り替える。つまり、点灯制御部７４は、ＩＣタグ所持者４が犯罪弱者である場合、光源６０を調光状態から完全点灯状態に切り替え、ＩＣタグ所持者４が犯罪弱者でない場合、光源６０を調光状態に維持させたままである。なお、図５の点灯制御部７４は、上記以外の点において、基本形態の点灯制御部（図２参照）と同様である。
【００４７】
次に、上記他の照明システムの照明装置２ｆの動作について説明する。なお、犯罪弱者は、犯罪弱者用のＩＣタグ３（図１参照）を所持し、犯罪弱者以外の者は、非犯罪弱者用のＩＣタグ３を所持している。検知部７２がＩＣタグ３からタグ情報を含むタグ信号Ａ（図１参照）を検知すると、判別部７５は、上記タグ情報を用いて、ＩＣタグ所持者４（図１参照）が犯罪弱者であるか否かの識別を行う。上記識別によりＩＣタグ所持者４が犯罪弱者である場合、光源６０（図１参照）は、点灯制御部７４による制御で調光状態から完全点灯状態に切り替わり、輝度を大きくして周囲を明るく点灯する。これに対して、ＩＣタグ所持者４が犯罪弱者でない場合、光源６０は、調光状態を維持したまま点灯する。
【００４８】
以上、上記他の照明システムによれば、ＩＣタグ所持者４（図１参照）が犯罪弱者である場合のみ、広範囲を明るくすることができるので、省エネルギー化を図りながら防犯機能を向上させることができる。
【００４９】
本発明の実施形態について図６を用いて説明する。図６は、本実施形態の照明装置における光源の点灯状態を示す図である。
【００５０】
本実施形態の照明システムは、上記他の照明システムと同様に、複数の照明装置２ｆ（図５参照）と、ＩＣタグ３（図１参照）とを備えているが、上記他の照明システムにはない以下に記載の特徴部分がある。
【００５１】
本実施形態のＩＣタグ３（図１参照）は、犯罪弱者用には、犯罪弱者である旨のタグ情報を記憶し、上記犯罪弱者の保護者などの関係者用には、犯罪弱者の関係者である旨のタグ情報を記憶している。本実施形態では、犯罪弱者が犯罪弱者用のＩＣタグ３を所持し、犯罪弱者の関係者が関係者用のＩＣタグ３を所持している。また、犯罪弱者以外の者が非犯罪弱者用のＩＣタグ３を所持している。なお、本実施形態のＩＣタグ３は、上記以外の点において、基本形態のＩＣタグと同様である。
【００５２】
一方、本実施形態の照明装置２ｆにおいて、点灯装置７ａは、図５に示すように、電源部７１と、通信部７３と、器体７０（図１参照）とを、上記他の照明システムの点灯装置と同様に備えている。
【００５３】
本実施形態の検知部７２は、上記他の照明システムの検知部に熱線センサ（図示せず）を備えているものである。熱線センサは、予め決められた検知範囲にいる人を、ＩＣタグ３を所持しているか否かに関わらず検知する。つまり、上記熱線センサを備える検知部により、ＩＣタグ所持者４（図１参照）だけでなく、ＩＣタグ非所持者も検知する。上記検知部７２は、熱線センサからの熱線センサ信号を通信部７３に出力する。なお、本実施形態の検知部７２は、上記以外の点において、上記他の照明システムの検知部と同様である。
【００５４】
また、本実施形態の判別部７５は、検知部７２で検知されたタグ情報、及び受信部７３１で受信された無線信号Ｃ（図１参照）のタグ情報を通信部７３から入力する。上記判別部７５は、上記タグ情報を用いて、先ず、ＩＣタグ３を所持する者か否かの識別を行い、次に、二人のＩＣタグ所持者４（図１参照）が犯罪弱者、この犯罪弱者の関係者又は犯罪弱者以外の者であるか否かの識別を行う。なお、本実施形態の判別部７５は、上記以外の点において、上記他の照明システムの判別部と同様である。
【００５５】
さらに、本実施形態の点灯制御部７４は、図６に示すように、上記識別により二人のＩＣタグ所持者４（図１参照）の一方が犯罪弱者であり、他方が上記犯罪弱者の関係者である場合、ＩＣタグ所持者４が犯罪弱者のみである場合より光源６０（図１参照）の輝度を小さくするように光源６０の点灯状態を切り替える。つまり、点灯制御部７４は、光源６０の点灯状態を調光状態（図６の「通常照度パターン」）に切り替える。また、点灯制御部７４は、ＩＣタグ所持者４が犯罪弱者でない場合、ＩＣタグ所持者４を検知しないで熱線センサによりＩＣタグ非所持者を検知した場合も、光源６０の点灯状態を調光状態に切り替える。一方、ＩＣタグ所持者４が犯罪弱者のみである場合、完全点灯状態（図６の「高照度パターン」）に切り替える。なお、本実施形態の点灯制御部７４は、上記以外の点において、上記他の照明システムの点灯制御部と同様である。
【００５６】
次に、本実施形態の照明装置２ｆの動作について図５，６を用いて説明する。なお、犯罪弱者は、犯罪弱者用のＩＣタグ３（図１参照）を所持し、犯罪弱者の関係者は、関係者用のＩＣタグ３を所持し、犯罪弱者以外の者は、非犯罪弱者用のＩＣタグ３を所持している。検知部７２（図５参照）がＩＣタグ３からタグ情報を含むタグ信号Ａ（図１参照）を検知すると、判別部７５（図５参照）は、上記タグ情報を用いて、ＩＣタグ所持者４（図１参照）が犯罪弱者、その犯罪弱者の関係者又は犯罪弱者以外の者であるか否かの識別を行う。ＩＣタグ所持者４が犯罪弱者のみである場合、光源６０（図１参照）は、点灯制御部７４（図５参照）による制御で調光状態から完全点灯状態（図６の「高照度パターン」）に切り替わり、輝度を大きくして周囲を明るく点灯する。これに対して、二人のＩＣタグ所持者４が犯罪弱者及び上記犯罪弱者の関係者である場合、光源６０は、調光状態（図６の「通常照度パターン」）を維持したまま点灯する。また、ＩＣタグ所持者４が犯罪弱者でない場合、光源６０は、調光状態を維持したまま点灯する。さらに、ＩＣタグ非所持者の場合も、光源６０は、調光状態を維持したまま点灯する。
【００５７】
以上、本実施形態によれば、二人のＩＣタグ所持者４（図１参照）が犯罪弱者及びその関係者である場合、犯罪弱者にとって安全な状況であり、周囲の明るさを下げても問題がないので、省エネルギー化を図りながら防犯機能を向上させることができる。また、ＩＣタグ所持者４だけでなくＩＣタグ非所持者の検知に基づいて、光源６０の点灯状態を切り替えることができる。
【００５８】
なお、本実施形態の変形例として、ＩＣタグ所持者が二人の場合に限定されず、判別部が、三人以上の複数のＩＣタグ所持者が犯罪弱者、この犯罪弱者の関係者又は犯罪弱者以外の者であるか否かの識別を行い、点灯制御部が、上記識別により複数のＩＣタグ所持者の一人が犯罪弱者であり、他の一人が上記犯罪弱者の関係者である場合、ＩＣタグ所持者が犯罪弱者のみである場合より光源の輝度を小さくするように光源の点灯状態を切り替えてもよい。このような構成にしても、本実施形態と同様の効果を得ることができる。
【００５９】
上記実施形態とは異なる例について図７を用いて説明する。図７は、上記の例の照明装置の構成を示すブロック図である。
【００６０】
上記の例の照明システムは、ＩＣタグ３（図１参照）を備えているとともに、図５の複数の照明装置２ｆ（図５参照）に代えて、複数の照明装置２ｇ（図７参照）を備えている。
【００６１】
上記照明システムの照明装置２ｇにおいて、点灯装置７ｂは、図７に示すように、電源部７１と、検知部７２と、通信部７３と、点灯制御部７４と、判別部７５と、器体７０（図１参照）とを、図５の点灯装置７ａ（図５参照）と同様に備えているが、図５の点灯装置７ａにはない以下に記載の特徴部分がある。
【００６２】
点灯装置７ｂは、判別部７５と点灯制御部７４との間に記憶部７６を備えている。記憶部７６は、タグ情報を判別部７５から入力し、上記タグ情報を記憶する記憶手段である。
【００６３】
以上、上記照明システムによれば、図５の照明装置２ｆを有する照明システムと同様の効果を得ることができるとともに、記憶部７６に記憶されているタグ情報を集計することにより、検知された犯罪弱者を特定することができるとともに、光源６０（図１参照）の点灯状態が切り替えられた頻度を犯罪弱者毎に把握することができる。これにより、例えば、光源６０の点灯状態が切り替えられたことに起因する電力料金などの費用を犯罪弱者やその代理団体などに請求することができる。
【００６４】
さらに他の例について図８を用いて説明する。図８は、上記他の例のＩＣタグの正面図である。
【００６５】
上記の例の照明システムは、基本形態の照明システム１（図１参照）と同様に複数の照明装置２，２ａ〜２ｄを備えているが、基本形態の照明システム１にはない以下に記載の特徴部分がある。
【００６６】
上記照明システムは、基本形態のＩＣタグ３に代えて、図８に示すようなＩＣタグ３ａを備えている。ＩＣタグ３ａは、タグ情報を含むタグ信号Ａ（図１参照）の送信のオンオフを切り替えるスイッチ３０を備えている。ＩＣタグ所持者４（図１参照）がスイッチ３０をオン（図８の「ＯＮ」）に切り替えて、照明装置２，２ａ〜２ｄの検知部７２（図２参照）の検知範囲に入ると、ＩＣタグ３ａは、上記検知部７２から電源用の電波を受信し、タグ信号Ａを検知部７２に送信する。これに対して、ＩＣタグ所持者４がスイッチ３０をオフ（図８の「ＯＦＦ」）に切り替えて、各照明装置２，２ａ〜２ｄの検知部７２の検知範囲に入ったとしても、ＩＣタグ３ａは、タグ信号Ａを上記検知部７２に送信しない。なお、ＩＣタグ３ａは、上記以外の点において、基本形態のＩＣタグ３（図１参照）と同様である。
【００６７】
以上、上記照明システムによれば、基本形態と同様の効果を得ることができるとともに、光源６０（図１参照）の点灯状態の切替を必要としない場合に、ＩＣタグ３からのタグ情報を含むタグ信号Ａの送信を停止することができるので、光源６０の点灯状態をそのまま維持することができる。
【００６８】
さらに他の例について図９を用いて説明する。図９は、上記他の例のＩＣタグの正面図である。図１０（ａ）は、上記他の例の照明装置の構成を示す概略図である。
【００６９】
上記他の例の照明システムは、基本形態のＩＣタグ３に代えて、図９に示すようなＩＣタグ３ｂを備えている。ＩＣタグ３ｂは、通報ボタン３１を備え、ＩＣタグ所持者４（図１参照）が上記通報ボタン３１を押すと、照明装置２，２ａ〜２ｄの検知部７２（図２参照）に通報信号を送信する。なお、ＩＣタグ３ｂは、上記以外の点において、基本形態のＩＣタグ３（図１参照）と同様である。
【００７０】
また、上記照明システムは、基本形態の照明装置２，２ａ〜２ｄに代えて、図１０（ａ）に示すような照明装置２ｈを備えている。照明装置２ｈは、光源６０（図１参照）とは別に、例えばＬＥＤ（Ｌｉｇｈｔ  Ｅｍｉｔｔｉｎｇ  Ｄｉｏｄｅ）などの通報灯８を点灯装置７に備えている。通報灯８は、検知部７２（図２参照）がＩＣタグ３ｂ（図９参照）から通報信号を受信すると、点灯制御部７４（図２参照）による制御により、例えば点滅などの特殊な点灯状態で点灯する。
【００７１】
以上、上記照明システムによれば、基本形態と同様の効果を得ることができるとともに、通報灯８の点灯状態により、周囲にいる歩行者に注意喚起を行い、ＩＣタグ所持者４（図１参照）に対する監視を高めることができる。例えば、ＩＣタグ所持者４は、不審者が近くにいるような気がするなど不安な状況において、周囲にいる歩行者の注意を引くことにより見守られることができる。
【００７２】
なお、上記照明システムの変形例として、照明装置２ｉは、図１０（ｂ）に示すように、通報灯８を灯具６に備えてもよい。このような構成にしても、上記照明システムと同様の効果を得ることができる。
【００７３】
また、上記照明システムの他の変形例として、照明装置は、通報灯に代えて、検知部がＩＣタグから通報信号を受信すると、音声を出力するスピーカを備えてもよい。このような構成にしても、上記照明システムと同様の効果を得ることができる。
【００７４】
さらに他の例について説明する。
【００７５】
上記他の例の照明システム１は、図１に示すように、複数の照明装置２，２ａ〜２ｄと、ＩＣタグ３とを、基本形態の照明システムと同様に備えている。
【００７６】
上記照明システム１の複数の照明装置２，２ａ〜２ｄの各々において、送信部７３０（図２参照）は、タグ情報とともに送信元アドレスを含む無線信号を送信する。一方、受信部７３１（図２参照）は、隣接する照明装置２，２ａ〜２ｄからタグ情報とともに送信元アドレスを含む無線信号を受信する。通信部７３（図２参照）は、アドレス記憶部（図示せず）を備え、受信された送信元アドレスを上記アドレス記憶部に予め決められた時間だけ記憶する。上記通信部７３は、検知部７２（図２参照）がタグ信号Ａを検知すると、送信元アドレスを上記アドレス記憶部に記憶している場合、上記送信元アドレスに対応する照明装置２，２ａ〜２ｄには無線信号を送信しない。これに対して、送信元アドレスが記憶されていない照明装置には、基本形態と同様に上記無線信号を送信する。
【００７７】
次に、上記照明システム１の動作について図１を用いて説明する。なお、犯罪弱者のみがＩＣタグ３を所持している。また、照明装置２の通信部７３が照明装置２ｂの送信元アドレスを記憶している。各照明装置２，２ａ〜２ｄの光源６０は、周囲が暗くなると、基本形態と同様に調光状態で点灯する。上記のような状態において、ＩＣタグ所持者４が照明装置２に近づき、照明装置２の検知部７２（図２参照）の検知範囲に入ると、照明装置２の光源６０は、基本形態と同様に周囲を明るく点灯する。ここで、照明装置２の通信部７３が照明装置２ｂの送信元アドレスを記憶しているので、照明装置２の送信部７３０（図２参照）は、無線信号Ｂを照明装置２ａのみに送信する。照明装置２から無線信号Ｂを受信した照明装置２ａにおいて、通信部７３は、無線信号Ｂに含まれた照明装置２の送信元アドレスを記憶する。また、光源６０は、照明装置２の光源６０と同様に周囲を明るく点灯する。一方、照明装置２ｂ〜２ｄの光源６０，６０，６０は、調光状態で点灯したままである。
【００７８】
続いて、上記ＩＣタグ所持者４が街路５を図１の右方向に進んでいくと、照明装置２ａに近づき、照明装置２ａの検知部７２（図２参照）の検知範囲に入る。このとき、照明装置２ａの光源６０は、基本形態と同様に周囲を明るく点灯する。ここで、通信部７３が照明装置２の送信元アドレスを記憶しているので、照明装置２ａの送信部７３０（図２参照）は、無線信号を照明装置２ｃのみに送信する。照明装置２ａから無線信号を受信した照明装置２ｃの光源６０は、調光状態から完全点灯状態に切り替わり、照明装置２ａの光源６０と同様に輝度を大きくして周囲を明るく点灯する。一方、照明装置２の光源６０は、完全点灯状態から調光状態に切り替わって点灯する。
【００７９】
以上、上記照明システム１によれば、通信部７３が送信元アドレスを記憶することにより、ＩＣタグ所持者４を検知した照明装置２の光源６０とその前方（進行方向）の照明装置２ａの光源６０のみを調光状態から完全点灯状態に切り替えることができるので、さらに点灯効率を高めることができる。
【００８０】
なお、上述した照明システムの変形例として、照明装置の検知部は、熱線センサを備えてもよい。熱線センサは、予め決められた検知範囲にいる人を、ＩＣタグを所持しているか否かに関わらず検知する。上記熱線センサを備える検知部により、ＩＣタグ所持者だけでなく、ＩＣタグ非所持者も検知する。このような構成にすると、ＩＣタグ所持者及びＩＣタグ非所持者の検知の組み合わせに基づいて、光源の点灯状態を切り替えることができる。
【図面の簡単な説明】
【００８１】
【図１】基本形態の照明システムの構成を示す概略図である。
【図２】同上の照明装置の構成を示すブロック図である。
【図３】他の照明システムの構成を示す概略図である。
【図４】他の照明システムの構成を示す概略図である。
【図５】本実施形態の照明装置の構成を示すブロック図である。
【図６】本実施形態の照明装置における光源の点灯状態を示す図である。
【図７】照明装置の構成を示すブロック図である。
【図８】ＩＣタグの正面図である。
【図９】他のＩＣタグの正面図である。
【図１０】他の照明装置であって、（ａ）は一の例の構成を示す概略図、（ｂ）は他の例の構成を示す概略図である。
【符号の説明】
【００８２】
１，１ａ，１ｂ  照明システム
２，２ａ〜２ｉ  照明装置
３，３ａ，３ｂ  ＩＣタグ
４  ＩＣタグ所持者
５，５ａ  街路
６  灯具
６０  光源
７，７ａ，７ｂ  点灯装置
７２  検知部
７３０  送信部
７３１  受信部
７４  点灯制御部
７５  判別部
７６  記憶部
８  通報灯
Ａ  タグ信号
Ｂ  無線信号
【図１】
0004639992.tif 000002
【図２】
0004639992.tif 000003
【図３】
0004639992.tif 000004
【図４】
0004639992.tif 000005
【図５】
0004639992.tif 000006
【図６】
0004639992.tif 000007
【図７】
0004639992.tif 000008
【図８】
0004639992.tif 000009
【図９】
0004639992.tif 000010
【図１０】
0004639992.tif 000011